【手続補正書】
【提出日】平成30年7月23日(2018.7.23)
【手続補正１】
【補正対象書類名】特許請求の範囲
【補正対象項目名】全文
【補正方法】変更
【補正の内容】
【特許請求の範囲】
【請求項１】
画像形成装置に搭載されるユニットであって、
回転体と、
幅方向と長手方向を持つ第１のスリット部及び第２のスリット部を備える第１のフレームと、
前記回転体を回転可能に保持するように形成されたみぞ部を備えた第２のフレームであって、当該第２のフレームを前記第１のフレームに位置決めするために前記第１のスリット部に係合される第１のプレート部と、前記第１のスリット部の長手方向に関して前記みぞ部を中にして前記第１のプレート部とは反対側に設けられ前記第２のスリット部に挿入することができるサイズの第２のプレート部と、を備えた第２のフレームと、を有し、
前記第１のスリット部は、
（ａ）前記第１のスリット部の幅方向において或る長さを持ち、前記第１のスリット部の幅方向に関して前記第１のプレート部を位置決めするように形成されている第１の部位と、
（ｂ）前記第１の部位の幅方向における長さよりも幅方向において長い長さを有する導入部と、
（ｃ）前記第１の部位と前記導入部とをつなぐ第１のテーパ部と、を備え、
前記第１のプレート部は、
（ａ）前記第１のスリット部を前記第１のプレート部に係合するために前記第１のスリット部に挿入できるサイズの自由端部と、
（ｂ）前記第１のスリット部の長手方向に関して前記第１のプレート部を位置決めするように形成されている第２の部位と、
（ｃ）前記自由端部と前記第２の部位とをつなぐ第２のテーパ部と、
（ｄ）前記第１のプレート部を前記第１のスリット部に挿入する方向に関して前記第１のフレームを位置決めするように形成されている第３の部位と、を備える
ことを特徴とするユニット。
【請求項２】
前記第１の部位の幅方向における長さは前記第１のプレート部の厚みよりも大きく、前記第１の部位の幅方向における長さと前記第１のプレート部の厚みとの差は０．１２ｍｍ以下であることを特徴とする請求項１に記載のユニット。
【請求項３】
前記第１のスリット部の長手方向における前記自由端部の長さは前記第１のスリット部の長手方向における前記導入部の長さよりも小さいことを特徴とする請求項１又は２に記載のユニット。
【請求項４】
第２の部位は前記第１のスリット部の長手方向に関して前記第１のプレート部を位置決めするように前記第１のスリット部の長手方向に関して前記第１のスリット部の端部に接することを特徴とする請求項１乃至３の何れか一項に記載のユニット。
【請求項５】
前記第３の部位は、前記第１のプレート部と前記１のスリット部を係合するために前記１のプレート部を前記１のスリット部に挿入する方向に関して前記第１のフレームを位置決めするように前記第１のフレームに接することを特徴とする請求項１乃至４の何れか一項に記載のユニット。
【請求項６】
前記第３の部位は前記第１のスリット部の長手方向に関して前記第１のスリット部の外側に接することを特徴とする請求項５に記載のユニット。
【請求項７】
前記第１のフレームは第３のスリット部を備え、
前記第２のフレームの前記みぞ部は前記回転体の長手方向の一端側において前記回転体の端部を回転可能に保持し、
前記ユニットは更に第３のフレームを有し、
当該第３のフレームは、
（ｉ）前記回転体の長手方向の他端側において前記回転体の端部を回転可能に保持するように形成された第２のみぞ部と、
（ii）第３のフレームを前記第１のフレームに位置決めするために前記第３のスリット部に係合する第３のプレート部と、を備える
ことを特徴とする請求項１乃至６の何れか一項に記載のユニット。
【請求項８】
前記第１のスリット部と前記第１のプレート部は前記第１のスリット部と前記第１のプレート部が結合されていくとき前記第１のテーパ部と前記第２のテーパ部が互いに接触可能となるサイズを持つことを特徴とする請求項１乃至７の何れか一項に記載のユニット。
【請求項９】
前記第２のスリット部は幅方向と長手方向を持ち、前記第２のプレート部は前記第２のフレームを前記第１のフレームに位置決めするために前記第２のスリット部に係合され、
前記第２のスリット部は、
（ａ）前記第２のスリット部の幅方向において或る長さを持ち、前記第２のスリット部の幅方向に関して前記第２のプレート部を位置決めするように形成されている第４の部位と、
（ｂ）前記第２のスリット部の幅方向において前記第４の部位の長さよりも前記第２のスリット部の幅方向において長い長さを有する第２の導入部と、
（ｃ）前記第４の部位と前記第２の導入部とをつなぐ第３のテーパ部と、を備え、
前記第２のプレート部は、
（ａ）前記第２のスリット部を前記第２のプレート部に係合するために前記第２のスリット部の前記第２の導入部に挿入できるサイズの第２の自由端部と、
（ｂ）前記第２のスリット部の長手方向に関し前記第２のプレート部を位置決めるように形成されている第５の部位と、
（ｃ）前記第２の自由端部と前記第５の部位とをつなぐ第４のテーパ部と、
（ｄ）前記第２のプレート部を前記２のスリット部に挿入する方向に関して前記第１のフレームを位置決めするように形成されている第６の部位と、を備える
ことを特徴とする請求項１乃至８の何れか一項に記載のユニット。
【請求項１０】
画像形成装置に搭載されるユニットであって、
回転体と、
幅方向と長手方向を持つ第１のスリット部及び第２のスリット部を備える第１のフレームと、
前記回転体の長手方向の一端側において前記回転体の端部を回転可能に保持するように形成された第１のみぞ部を備えた第２のフレームであって、当該第２のフレームを前記第１のフレームに位置決めするために前記第１のスリット部に係合される第１のプレート部を備えた第２のフレームと、
前記回転体の長手方向の他端側において前記回転体の端部を回転可能に保持するように形成された第２のみぞ部を備えた第３のフレームであって、当該第３のフレームを前記第１のフレームに位置決めするために前記第２のスリット部に係合される第２のプレート部を備えた第３のフレームと、を有し、
前記第１のスリット部は、
（ａ）前記第１のスリット部の幅方向において或る長さを持ち、前記第１のスリット部の幅方向に関して前記第１のプレート部を位置決めするように形成されている第１の部位と、
（ｂ）前記第１の部位の幅方向における長さよりも幅方向において長い長さを有する導入部と、
（ｃ）前記第１の部位と前記導入部とをつなぐ第１のテーパ部と、を備え、
前記第１のプレート部は、
（ａ）前記第１のスリット部を前記第１のプレート部に係合するために前記第１のスリット部に挿入できるサイズの自由端部と、
（ｂ）前記第１のスリット部の長手方向に関して前記第１のプレート部を位置決めするように形成されている第２の部位と、
（ｃ）前記自由端部と前記第２の部位とをつなぐ第２のテーパ部と、
（ｄ）前記第１のプレート部（４１９）を前記第１のスリット部（６１３）に挿入する方向に関して前記第１のフレーム（６０１）を位置決めするように形成されている第３の部位と、を備える
ことを特徴とするユニット。
【請求項１１】
前記第２のスリット部は幅方向と長手方向を持ち、
前記第２のスリット部は、
（ａ）前記第２のスリット部の幅方向において或る長さを持ち、前記第２のスリット部の幅方向に関して前記第２のプレート部を位置決めするように形成されている第４の部位と、
（ｂ）前記第２のスリット部の幅方向において前記第４の部位の長さよりも前記第２のスリット部の幅方向において長い長さを有する第２の導入部と、
（ｃ）前記第４の部位と前記第２の導入部とをつなぐ第３のテーパ部と、を備え、
前記第２のプレート部は、
（ａ）前記第２のスリット部を前記第２のプレート部に係合するために前記第２のスリット部の前記第２の導入部に挿入できるサイズの第２の自由端部と、
（ｂ）前記第２のスリット部の長手方向に関し前記第２のプレート部を位置決めるように形成されている第５の部位と、
（ｃ）前記第２の自由端部と前記第５の部位とをつなぐ第４のテーパ部と、
（ｄ）前記第２のプレート部を前記２のスリット部に挿入する方向に関して前記第１のフレームを位置決めするように形成されている第６の部位と、を備える
ことを特徴とする請求項１０に記載のユニット。
【請求項１２】
画像形成装置に装着される定着装置であって、
ニップ部にて記録材上のトナー像を加熱するための回転体と、
幅方向と長手方向を持つ第１のスリット部及び第２のスリット部を備える第１のフレームと、
前記回転体を回転可能に保持するように形成されたみぞ部を備えた第２のフレームであって、当該第２のフレームを前記第１のフレームに位置決めするために前記第１のスリット部に係合される第１のプレート部と、前記第１のスリット部の長手方向に関して前記みぞ部を中にして前記第１のプレート部とは反対側に設けられ前記第２のスリット部に挿入することができるサイズの第２のプレート部と、を備えた第２のフレームと、を有し、
前記第１のスリット部は、
（ａ）前記第１のスリット部の幅方向において或る長さを持ち、前記第１のスリット部の幅方向に関して前記第１のプレート部を位置決めするように形成されている第１の部位と、
（ｂ）幅方向において前記第１の部位の長さよりも幅方向において長い長さを有する導入部と、
（ｃ）前記第１の部位と前記導入部とをつなぐ第１のテーパ部と、を備え、
前記第１のプレート部は、
（ａ）前記第１のスリット部を前記第１のプレート部に係合するために前記第１のスリット部に挿入できるサイズの自由端部と、
（ｂ）前記第１のスリット部の長手方向に関して前記第１のプレート部を位置決めするように形成されている第２の部位と、
（ｃ）前記自由端部と前記第２の部位とをつなぐ第２のテーパ部と、
（ｄ）前記第１のプレート部を前記第１のスリット部に挿入する方向に関して前記第１のフレームを位置決めするように形成されている第３の部位と、を備える
ことを特徴とする定着装置。
【請求項１３】
前記第１のスリット部と前記第１のプレート部は前記第１のスリット部と前記第１のプレート部が結合されていくとき前記第１のテーパ部と前記第２のテーパ部が互いに接触可能となるサイズを持つことを特徴とする請求項１２に記載の定着装置。
【請求項１４】
前記第２のスリット部は幅方向と長手方向を持ち、前記第２のプレート部は前記第２のフレームを前記第１のフレームに位置決めするために前記第２のスリット部に係合され、
前記第２のスリット部は、
（ａ）前記第２のスリット部の幅方向において或る長さを持ち、前記第２のスリット部の幅方向に関して前記第２のプレート部を位置決めするように形成されている第４の部位と、
（ｂ）前記第２のスリット部の幅方向において前記第４の部位の長さよりも前記第２のスリット部の幅方向において長い長さを有する第２の導入部と、
（ｃ）前記第４の部位と前記第２の導入部とをつなぐ第３のテーパ部と、を備え、
前記第２のプレート部は、
（ａ）前記第２のスリット部を前記第２のプレート部に係合するために前記第２のスリット部の前記第２の導入部に挿入できるサイズの第２の自由端部と、
（ｂ）前記第２のスリット部の長手方向に関し前記第２のプレート部を位置決めるように形成されている第５の部位と、
（ｃ）前記第２の自由端部と前記第５の部位とをつなぐ第４のテーパ部と、
（ｄ）前記第２のプレート部を前記２のスリット部に挿入する方向に関して前記第１のフレームを位置決めするように形成されている第６の部位と、を備える
ことを特徴とする請求項１２又は１３に記載の定着装置。
【請求項１５】
画像形成装置に装着される定着装置であって、
記録材上のトナー像を加熱する回転可能な加熱部材と協働してトナー像を定着するためのニップ部を形成する回転体と、
幅方向と長手方向を持つ第１のスリット部及び第２のスリット部を備える第１のフレームと、
前記回転体を回転可能に保持するように形成されたみぞ部を備えた第２のフレームであって、前記第２のフレームを前記第１のフレームに位置決めするために前記第１のスリット部に係合される第１のプレート部と、前記第１のスリット部の長手方向に関して前記みぞ部を中にして前記第１のプレート部とは反対側に設けられ前記第２のスリット部に挿入することができるサイズの第２のプレート部と、を備えた第２のフレームと、を有し、
前記第１のスリット部は、
（ａ）前記第１のスリット部の幅方向において或る長さを持ち、前記第１のスリット部の幅方向に関して前記第１のプレート部を位置決めするように形成されている第１の部位と、
（ｂ）前記第１の部位の幅方向における長さよりも幅方向において長い長さを有する導入部と、
（ｃ）前記第１の部位と前記導入部とをつなぐ第１のテーパ部と、を備え、
前記第１のプレート部は、
（ａ）前記第１のスリット部を前記第１のプレート部に係合するために前記第１のスリット部に挿入できるサイズの自由端部と、
（ｂ）前記第１のスリット部の長手方向に関して前記第１のプレート部を位置決めするように形成されている第２の部位と、
（ｃ）前記自由端部と前記第２の部位とをつなぐ第２のテーパ部と、
（ｄ）前記第１のプレート部を前記第１のスリット部に挿入する方向に関して前記第１のフレームを位置決めするように形成されている第３の部位と、を備える
ことを特徴とする定着装置。
【請求項１６】
前記第１のスリット部と前記第１のプレート部は前記第１のスリット部と前記第１のプレート部が結合されていくとき前記第１のテーパ部と前記第２のテーパ部が互いに接触可能となるサイズを持つことを特徴とする請求項１５に記載の定着装置。
【請求項１７】
前記第２のスリット部は幅方向と長手方向を持ち、前記第２のプレート部は前記第２のフレームを前記第１のフレームに位置決めするために前記第２のスリット部に係合され、
前記第２のスリット部は、
（ａ）前記第２のスリット部の幅方向において或る長さを持ち、前記第２のスリット部の幅方向に関して前記第２のプレート部を位置決めするように形成されている第４の部位と、
（ｂ）前記第２のスリット部の幅方向において前記第４の部位の長さよりも前記第２のスリット部の幅方向において長い長さを有する第２の導入部と、
（ｃ）前記第４の部位と前記第２の導入部とをつなぐ第３のテーパ部と、を備え、
前記第２のプレート部は、
（ａ）前記第２のスリット部を前記第２のプレート部に係合するために前記第２のスリット部の前記第２の導入部に挿入できるサイズの第２の自由端部と、
（ｂ）前記第２のスリット部の長手方向に関し前記第２のプレート部を位置決めるように形成されている第５の部位と、
（ｃ）前記第２の自由端部と前記第５の部位とをつなぐ第４のテーパ部と、
（ｄ）前記第２のプレート部を前記２のスリット部に挿入する方向に関して前記第１のフレームを位置決めするように形成されている第６の部位と、を備える
ことを特徴とする請求項１５又は１６に記載の定着装置。
【請求項１８】
画像形成装置に装着される定着装置であって、
ニップ部にて記録材上のトナー像を加熱するための回転体と、
幅方向と長手方向を持つ第１のスリット部及び第２のスリット部を備える第１のフレームと、
前記回転体の長手方向の一端側において前記回転体の端部を回転可能に保持するように形成された第１のみぞ部を備えた第２のフレームであって、前記第２のフレームを前記第１のフレームに位置決めするために前記第１のスリット部に係合される第１のプレート部を備えた第２のフレームと、
前記回転体の長手方向の他端側において前記回転体の端部を回転可能に保持するように形成された第２のみぞ部を備えた第３のフレームであって、前記第３のフレームを前記第１のフレームに位置決めするために前記第２のスリット部に係合される第２のプレート部を備えた第３のフレームと、を有し、
前記第１のスリット部は、
（ａ）前記第１のスリット部の幅方向において或る長さを持ち、前記第１のスリット部の幅方向に関して前記第１のプレート部を位置決めするように形成されている第１の部位と、
（ｂ）前記第１の部位の幅方向における長さよりも幅方向において長い長さを有する導入部と、
（ｃ）前記第１の部位と前記導入部とをつなぐ第１のテーパ部と、を備え、
前記第１のプレート部は、
（ａ）前記第１のスリット部を前記第１のプレート部に係合するために前記第１のスリット部に挿入できるサイズの自由端部と、
（ｂ）前記第１のスリット部の長手方向に関して前記第１のプレート部を位置決めするように形成されている第２の部位と、
（ｃ）前記自由端部と前記第２の部位とをつなぐ第２のテーパ部と、
（ｄ）前記第１のプレート部を前記第１のスリット部に挿入する方向に関して前記第１のフレームを位置決めするように形成されている第３の部位と、を備える
ことを特徴とする定着装置。
【請求項１９】
前記第２のスリット部は幅方向と長手方向を持ち、
前記第２のスリット部は
（ａ）前記第２のスリット部の幅方向において或る長さを持ち、前記第２のスリット部の幅方向に関して前記第２のプレート部を位置決めするように形成されている第４の部位と、
（ｂ）前記第２のスリット部の幅方向において前記第４の部位の長さよりも前記第２のスリット部の幅方向において長い長さを有する第２の導入部と、
（ｃ）前記第４の部位と前記第２の導入部とをつなぐ第３のテーパ部と、を備え、
前記第２のプレート部は、
（ａ）前記第２のスリット部を前記第２のプレート部に係合するために前記第２のスリット部の前記第２の導入部に挿入できるサイズの第２の自由端部と、
（ｂ）前記第２のスリット部の長手方向に関し前記第２のプレート部を位置決めるように形成されている第５の部位と、
（ｃ）前記第２の自由端部と前記第５の部位とをつなぐ第４のテーパ部と、
（ｄ）前記第２のプレート部を前記２のスリット部に挿入する方向に関して前記第１のフレームを位置決めするように形成されている第６の部位と、を備える
ことを特徴とする請求項１８に記載の定着装置。
【請求項２０】
画像形成装置に装着される定着装置であって、
記録材上のトナー像を加熱する回転可能な加熱部材と協働してトナー像を定着するためのニップ部を形成する回転体と、
幅方向と長手方向を持つ第１のスリット部及び第２のスリット部を備える第１のフレームと、
前記第１のスリット部は、
（ａ）前記第１のスリット部の幅方向において或る長さを持ち、前記第１のスリット部の幅方向に関して前記第１のプレート部を位置決めするように形成されている第１の部位と、
（ｂ）前記第１の部位の幅方向における長さよりも幅方向において長い長さを有する導入部と、
（ｃ）前記第１の部位と前記導入部とをつなぐ第１のテーパ部と、を備え、
前記第１のプレート部は、
（ａ）前記第１のスリット部を前記第１のプレート部に係合するために前記第１のスリット部に挿入できるサイズの自由端部と、
（ｂ）前記第１のスリット部の長手方向に関して前記第１のプレート部を位置決めするように形成されている第２の部位と、
（ｃ）前記自由端部と前記第２の部位とをつなぐ第２のテーパ部と、
（ｄ）前記第１のプレート部を前記第１のスリット部に挿入する方向に関して前記第１のフレームを位置決めするように形成されている第３の部位と、を備える
ことを特徴とする定着装置。
【請求項２１】
前記第２のスリット部は幅方向と長手方向を持ち、
前記第２のスリット部は、
（ａ）前記第２のスリット部の幅方向において或る長さを持ち、前記第２のスリット部の幅方向に関して前記第２のプレート部を位置決めするように形成されている第４の部位と、
（ｂ）前記第２のスリット部の幅方向において前記第４の部位の長さよりも前記第２のスリット部の幅方向において長い長さを有する第２の導入部と、
（ｃ）前記第４の部位と前記第２の導入部とをつなぐ第３のテーパ部と、を備え、
前記第２のプレート部は、
（ａ）前記第２のスリット部を前記第２のプレート部に係合するために前記第２のスリット部の前記第２の導入部に挿入できるサイズの第２の自由端部と、
（ｂ）前記第２のスリット部の長手方向に関し前記第２のプレート部を位置決めるように形成されている第５の部位と、
（ｃ）前記第２の自由端部と前記第５の部位とをつなぐ第４のテーパ部と、
（ｄ）前記第２のプレート部を前記２のスリット部に挿入する方向に関して前記第１のフレームを位置決めするように形成されている第６の部位と、を備える
ことを特徴とする請求項２０に記載の定着装置。
【手続補正２】
【補正対象書類名】明細書
【補正対象項目名】発明の名称
【補正方法】変更
【補正の内容】
【発明の名称】画像形成装置に搭載されるユニット及び定着装置
【手続補正３】
【補正対象書類名】明細書
【補正対象項目名】０００１
【補正方法】変更
【補正の内容】
【０００１】
本発明は、複写機、プリンタ、ファクシミリ、あるいはそれらの複合機等に代表される、電子写真プロセスや静電記録プロセス等を採用した画像形成装置に搭載されるユニット及び定着装置に関する。
【手続補正４】
【補正対象書類名】明細書
【補正対象項目名】０００２
【補正方法】変更
【補正の内容】
【０００２】
複写機、ファクシミリ、プリンタ等のＯＡ機器用の構造体には構造体自体の強度と、構造体の組合せ精度が同時に必要となることが多々ある。そのことを実現するために構造体の組立に専用の治具を用い、複数の構造体を組合せ、溶接やビス締めにより構造体を接合する方法がある。メインとなる構造体であれば、組上げた後、再度取り外すことが無いため上記方法で問題は無い。
【手続補正５】
【補正対象書類名】明細書
【補正対象項目名】０００３
【補正方法】変更
【補正の内容】
【０００３】
しかし、複写機、ファクシミリ、プリンタ等のＯＡ機器の場合、メンテナンスや定期交換部品の交換時に、メインとなる構造体からユニットを取り外すことがある。そして、ユニット自体を新しい物へと交換することや、ユニット内にある部品を交換しそのユニットを再度メインとなる構造体に取り付けるような作業が生ずることがある。
【手続補正６】
【補正対象書類名】明細書
【補正対象項目名】００１９
【補正方法】変更
【補正の内容】
【００１９】
上記の目的を達成するための本発明に係るユニットの代表的な構成は、
画像形成装置に搭載されるユニットであって、
回転体と、
幅方向と長手方向を持つ第１のスリット部及び第２のスリット部を備える第１のフレームと、
前記回転体を回転可能に保持するように形成されたみぞ部を備えた第２のフレームであって、当該第２のフレームを前記第１のフレームに位置決めするために前記第１のスリット部に係合される第１のプレート部と、前記第１のスリット部の長手方向に関して前記みぞ部を中にして前記第１のプレート部とは反対側に設けられ前記第２のスリット部に挿入することができるサイズの第２のプレート部と、を備えた第２のフレームと、を有し、
前記第１のスリット部は、
（ａ）前記第１のスリット部の幅方向において或る長さを持ち、前記第１のスリット部の幅方向に関して前記第１のプレート部を位置決めするように形成されている第１の部位と、
（ｂ）前記第１の部位の幅方向における長さよりも幅方向において長い長さを有する導入部と、
（ｃ）前記第１の部位と前記導入部とをつなぐ第１のテーパ部と、を備え、
前記第１のプレート部は、
（ａ）前記第１のスリット部を前記第１のプレート部に係合するために前記第１のスリット部に挿入できるサイズの自由端部と、
（ｂ）前記第１のスリット部の長手方向に関して前記第１のプレート部を位置決めするように形成されている第２の部位と、
（ｃ）前記自由端部と前記第２の部位とをつなぐ第２のテーパ部と、
（ｄ）前記第１のプレート部を前記第１のスリット部に挿入する方向に関して前記第１のフレームを位置決めするように形成されている第３の部位と、を備える
ことを特徴とする。
また、上記の目的を達成するための本発明に係る定着装置の代表的な構成は、
画像形成装置に装着される定着装置であって、
ニップ部にて記録材上のトナー像を加熱するための回転体と、
幅方向と長手方向を持つ第１のスリット部及び第２のスリット部を備える第１のフレームと、
前記回転体を回転可能に保持するように形成されたみぞ部を備えた第２のフレームであって、当該第２のフレームを前記第１のフレームに位置決めするために前記第１のスリット部に係合される第１のプレート部と、前記第１のスリット部の長手方向に関して前記みぞ部を中にして前記第１のプレート部とは反対側に設けられ前記第２のスリット部に挿入することができるサイズの第２のプレート部と、を備えた第２のフレームと、を有し、
前記第１のスリット部は、
（ａ）前記第１のスリット部の幅方向において或る長さを持ち、前記第１のスリット部の幅方向に関して前記第１のプレート部を位置決めするように形成されている第１の部位と、
（ｂ）幅方向において前記第１の部位の長さよりも幅方向において長い長さを有する導入部と、
（ｃ）前記第１の部位と前記導入部とをつなぐ第１のテーパ部と、を備え、
前記第１のプレート部は、
（ａ）前記第１のスリット部を前記第１のプレート部に係合するために前記第１のスリット部に挿入できるサイズの自由端部と、
（ｂ）前記第１のスリット部の長手方向に関して前記第１のプレート部を位置決めするように形成されている第２の部位と、
（ｃ）前記自由端部と前記第２の部位とをつなぐ第２のテーパ部と、
（ｄ前記第１のプレート部を前記第１のスリット部に挿入する方向に関して前記第１のフレームを位置決めするように形成されている第３の部位と、を備える
ことを特徴とする。
【手続補正７】
【補正対象書類名】明細書
【補正対象項目名】００２０
【補正方法】変更
【補正の内容】
【００２０】
本発明によれば、位置決め部が板厚方向にズレが生じた場合においても、複数の位置決め部の相対位置がずれた場合においても、スムーズな組立を実現することが可能である。これにより、組立専用工具の削除及び、組立作業のロスタイムの低減が可能となる。サービスマン、ユーザーが行っても安心して作業が行える。また、自動組立への対応も可能とするものである。
【手続補正８】
【補正対象書類名】明細書
【補正対象項目名】００３８
【補正方法】変更
【補正の内容】
【００３８】
未定着トナー像を載せた記録材は図３において矢印ａで示すようにこの定着ニップＮに進入して挟持搬送される。これにより、定着ニップＮで記録材の加熱と加圧が同時に行われ、トナー像は記録材に固着像として定着される。定着ニップＮでトナー像が定着された記録材は分離板２５１により定着フィルム２０１から剥離され搬送ローラ対２６１、２７１により定着装置４０から排出される。
従って、上記において、定着フィルム２０１が記録材上のトナー像を加熱する回転可能な加熱部材として機能し、加圧ローラ２２１が定着フィルム２０１と協働してトナー像を定着するためのニップ部Ｎを形成する回転体として機能している。
【手続補正９】
【補正対象書類名】明細書
【補正対象項目名】００４３
【補正方法】変更
【補正の内容】
【００４３】
定着フレーム４０１に前側板（一端側側板：第３のフレーム）４０２、後側板（他端側側板：第２のフレーム）４０３、入口ガイド支板４０４は基本の強度を持たせるための部品であり、板厚１．２ｍｍのジンコート鋼板を使用している。前側板４０２の円弧形状部４１１（第２のみぞ部）と後側板４０３の円弧形状部４１２（第１のみぞ部）は加圧ローラユニット２１０のベアリング２２２、２２３（図５）が嵌合する場所である。即ち、円弧形状部４１１と同４１２はそれぞれ加圧ローラ２２１の長手方向の一端側と他端側において加圧ローラ２２１の端部を回転可能に保持するように形成されたみぞ部である。
【手続補正１０】
【補正対象書類名】明細書
【補正対象項目名】００４８
【補正方法】変更
【補正の内容】
【００４８】
それらの傾きを抑制すると共に、前後側板４０２、４０３の間隔を一定に保つために強度部材があることが望ましい。本実施例では定着上ステイ６０１（図７）という部材を設け前後側板の傾きを及び、その間隔を一定に保っている。ここに、組立上の課題が発生する。その解決について後に詳細に説明する。
【手続補正１１】
【補正対象書類名】明細書
【補正対象項目名】００５８
【補正方法】変更
【補正の内容】
【００５８】
図１Ａに、シャッターユニット３００における定着上ステイ（第１の部材：第１のフレーム）６０１の位置決め穴６１３（第１のスリット部）と、定着器フレームユニット４００における後側板（第２の部材：第２のフレーム）４０３の位置決め部（挿入部：第１のプレート部）４１９の形状の詳細を示す。
【手続補正１２】
【補正対象書類名】明細書
【補正対象項目名】００５９
【補正方法】変更
【補正の内容】
【００５９】
穴６１３は図１Ａのように幅方向と長手方向を持ち、導入部６１３ｃと、第１のテーパ部６１３ａと、嵌合部（第１の部位）６１３ｂがある。位置決め部４１９には、第１の挿入部分（自由端部）４１９ｂと、第２のテーパ部４１９ａと、第２の挿入部分（第２の部位）４１９ｃがある。
【手続補正１３】
【補正対象書類名】明細書
【補正対象項目名】００６９
【補正方法】変更
【補正の内容】
【００６９】
そして、導入部６１３ｃに第１の挿入部分４１９ｂの挿入が進行して第１のテーパ部６１３ａと第２のテーパ部４１９ａとが接触し嵌合部６１３ｂと第２の挿入部分４１９ｃとが嵌合することにより第１と第２の部材６０１、４０３の位置決めがなされる。即ち、位置決め穴６１３と位置決め部４１９は両者が結合されていくとき第１のテーパ部６１３ａと第２のテーパ部４１９ａが互いに接触可能となるサイズを持つ。
【手続補正１４】
【補正対象書類名】明細書
【補正対象項目名】００７６
【補正方法】変更
【補正の内容】
【００７６】
ここで、定着器フレームユニット４００とシャッターユニット３００の組み付け精度がよくないと、定着フィルムユニット２００を適切に加圧することが困難となり、濃度ムラなどの画像不良の発生をまねく。あるいは、定着器フレームユニット４００とシャッターユニット３００とが歪んで取り付けられた場合、定着器フレームユニット４００やシャッターユニット３００に対して加圧バネ８０１の加圧が想定外の方向に働き変形させてしまう虞がある。そのため、精度よく組み付けできる本実施例の構成が望ましい
図１Ａにおいては、位置決め穴６１３には導入部６１３ｃの一端側にだけ第１のテーパ部６１３ａを介して嵌合部６１３ｂを具備させている。これに限られず、図１Ｂのように、導入部６１３ｃの両端側にそれぞれ第１のテーパ部６１３ａを介して２つの嵌合部６１３ｂを具備させた位置決め穴形態にすることもできる。この場合は、位置決め部４１９には導入部６１３ｃの両端側の第１のテーパ部６１３ａにそれぞれ対応する２箇所の第２のテーパ部４１９ａを具備させる。
以上、位置決め穴（第１のスリット）６１３と位置決め部（第１のプレート部）４１９との場合を代表例として説明したが、位置決め穴６１４、６１５、６１１、６１２とこれらに各対応の位置決め部４２０、４２１、４１７、４１８との関係も位置決め穴６１３と位置決め部４１９の場合と同様である。
なお、各請求項に記載の構成との関係においては、位置決め穴６１５が第２のスリット部に対応している。位置決め部４２１が、位置決め穴６１４の長手方向に関して円弧形状部４１２（第１のみぞ部）を中にして位置決め部４１９とは反対側に設けられた第２のスリット部に対応している。位置決め穴６１１、６１２の少なくとも一方が第３のスリット部に対応している。位置決め部４１７、４１８の少なくとも一方がその第３のスリット部に係合する第３のプレート部に対応している。
また、図１Ａにおける位置決め穴（第１のスリット）６１３における、嵌合部（第１の部位）６１３ｂ、導入部（第２の導入部）６１３ｃ、第１のテーパ部６１３ａは、それぞれ、第２のスリット部である位置決め穴６１５においては、第４の部位、第２の導入部、第３のテーパ部となる。図１Ａにおける位置決め部（第１のプレート部）４１９における、第２の挿入部分（第２の部位）、第１の自由端部６１３ｃ、第１のテーパ部６１３ａは、それぞれ、第２のスリット部である位置決め穴６１５においては、第４の部位、第２の自由端部、第４のテーパ部となる。